(57)【要約】      （修正有）【課題】  端末とホストコンピュータ間において、随時にソフトウェアの更新を行うと共に、データを保存するネットワーク用ディスクを提供する高拡張性分散型デジタルニューラルネットワークシステムを提供する。【解決手段】  入力／出力端にそれぞれ該応用サーバ１０に含まれるメインシステムの語法と異なるプロトコルの変換を行う第一変換インターフェースが設けられる少なくとも一つの応用サーバ１０と、各々が前記応用サーバ１０の変換インターフェースに接続され、異なるオペレーションシステム、ネットワークプロトコル及び応用ソフトをそれぞれ使用する、複数のユーザ機器２０とを有し、前記応用サーバ１０により統合プラットフォームを提供し、各ユーザ機器２０が随時応用サーバ１０にデータの保存或いは応用サーバ１０からデータの読み取りを行なうことができる集中管理型ネットワークを構築することを特徴とする。【選択図】  図１
2005128644.tif 000002
【特許請求の範囲】
【請求項１】
スタンダードデータフォーマット及び語法を有するメインシステムが内蔵されると共に、入力／出力端にそれぞれ該メインシステムの語法と異なるプロトコルの変換を行う第一変換インターフェースが設けられる少なくとも一つの応用サーバと、
各々が前記応用サーバの変換インターフェースに接続され、異なるオペレーションシステム、ネットワークプロトコル及び応用ソフトをそれぞれ使用する、複数のユーザ機器と、を有し、
前記応用サーバにより統合プラットフォームを提供し、各ユーザ機器が随時応用サーバにデータの保存或いは応用サーバからデータの読み取りを行なうことができること特徴とする高拡張性分散型デジタルニューラルネットワークシステム。
【請求項２】
複数の機能サーバを更に含み、前記応用サーバはプロトコルが応用サーバと異なる機能サーバと接続する第二変換インターフェースが設けられることを特徴とする請求項１に記載の高拡張性分散型デジタルニューラルネットワークシステム。
【請求項３】
前記応用サーバはシステムコントローラ、システム記録手段、ディレクトリ、身分認証手段及びダイナミックモジュールを更に含み、
前記メインシステムはＸＭＬ言語を使用し、
前記第一変換インターフェースはＸＭＬ言語とＴＣＰ及びＨＴＴＰのプロトコルとの変換を支援し、前記第二変換インタフェースはＸＭＬ言語とJVMプロトコルとの変換を支援することを特徴とする請求項２に記載の高拡張性分散型デジタルニューラルネットワークシステム。
【発明の詳細な説明】
【技術分野】
【０００１】
本発明は、特に現在一般に使用されている端末或いはホストコンピュータにおける、整合性の取れた変換インターフェースを介して、随時にソフトウェアの更新を行うと共に、データを保存するネットワーク用ディスクを提供する高拡張性分散型デジタルニューラルネットワークシステムに関するものである。
【背景技術】
【０００２】
図５に示すように、現有のイントラネット（Intranet）は、サーバ及びネットワーク接続用設備に、使用する側の各コンピュータを接続することにより構築され、早期のものは複数のパーソナルコンピュータを集中させて管理するシステムであった。その構成は、ホストコンピュータ（５０）及び端末（５１）から成り、該ホストコンピュータ（５０）は主な演算ユニットとして演算能力を有しない端末（５１）と接続され、その目的としては使用している各端末（５１）のデータの一括管理をしやすくすることにあった。しかし、該ホストコンピュータ（５０）のデータの演算量は過大であるため、価格が非常に高いという問題があった。
【０００３】
前記問題に鑑み、その後、一部の演算動作を分離して負担を軽減するために、演算機能を備えたコンピュータが開発され、ユーザ側に採用されたことから、基本データ処理機能を有するサーバによりホストコンピュータの一部の仕事を処理することになったが、早期のサーバ（例えば、ファイルサーバ、プリンタサーバなど）はその機能に限りがあるため、その殆どがデータの割り当てに用いられていた。
【０００４】
更に、図６に示すように、８０年代の末期になると、優れた演算能力を有するプログラムサーバ（６０）が開発され、このプログラムサーバ（６０）を用いてコンピュータ（６１）で行っていたプログラムの一部を分担することにより、各コンピュータ（６１）におけるデータの占有空間が軽減できるようになった。即ち、該プログラムサーバ（６０）によりバックエンドプログラムを行うと共に、各コンピュータ（６１）によりフロントエンドプログラムを行って、イントラネットを介して相互にアクセスできるようにした。
【０００５】
現在では、インターネットの全世界での普及により、進歩したウェブページプログラム及びそれを支援するプラットフォームによって、各企業のイントラネットからインターネットにアクセスできるようになったが、これにより、イントラネットの構築時にウェブサーバ（IISサーバ、エクスチェンジサーバ、Apacheサーバ）の設置が必要となった。しかしながら、初期のものはダイナミックウェブページではなくスタティックウェブページを使用していることから、CGI（COMMON GETWAY INTERFACE）とサーバとを組み合わせてアクセスする必要があったため、この方式では今後の展望に限りがあった。
【発明の開示】
【発明が解決しようとする課題】
【０００６】
上述したように、現有のイントラネットはインターネットとのアクセスに、進歩したウェブページプログラム及びそれを支援するプラットフォームを用いることにより行っているが、現有の設備ではダイナミックウェブページの設計において、例えば、TCP(Transmission Control Protocol)、HTTP(Hyper Text Transfer Protocol)、XML(eXtensible Markup Language)、Logger、Authentication、DATABASE、LDAP(Lightweight Directory Access Protocol)、smart card networkingなどのソフトウェアを使用する必要があるため、ソフトウェア、ハードウェア等の設備が増加すると共に、メンテナンスが非常に面倒になる。更に、サーバと各コンピュータとの間にはファイル及び権限の管理などの問題が存在することから、各役割を持つ複数のサーバを使用するイントラネットには、相当多くの技術、管理、メンテナンス及び拡張に関する問題を有する。
【０００７】
本発明の高拡張性分散型デジタルニューラルネットワークシステムは、イントラネット及びインターネットの通信プロトコルを統合して標準プラットフォームを構築し、イントラネットのコンピュータにデータを保存するネットワークディスクを提供すると共に、応用プログラムの演算及び更新を提供することにより、各コンピュータに必要なアップグレードの問題を解決し、サーバによる集中管理制御を達成することを目的とする。
【課題を解決するための手段】
【０００８】
上記目的を達成するために本発明に係る高拡張性分散型デジタルニューラルネットワークシステムは、
スタンダードデータフォーマットのメインシステム（１１）が内蔵され、入力／出力端にそれぞれ第一変換インターフェース（１２）が設けられ、異なる言語プロトコルを用いて変換を行う、少なくとも一つの応用サーバ（１０）と、
各々が前記応用サーバ（１０）の変換インターフェースに接続され、それぞれを目的の異なる作業システム、ネットワークプロトコル及び応用ソフトとして使用する、複数のユーザ機器（２０）と、を有し、
前記応用サーバ（１０）により統合プラットフォームを提供し、各ユーザ機器（２０）が随時応用サーバ（１０）にデータの保存或いは応用サーバ（１０）からデータの読み取りを行なうことができること特徴とする。
【発明の効果】
【０００９】
本発明の高拡張性分散型デジタルニューラルネットワークシステムは、地域の範囲や距離の影響を受けずに各地のコンピュータとアクセスでき、その中の応用サーバはディスクの開放を制御する権限を有すると共に、登録メカニズム、応用ソフトに関するプログラムコード、認証メカニズム及び権限の登録メカニズムが組み込まれる。即ち、イントラネット上での各ユーザ機器の異なる使用条件については、身分の確認がなされた後、ユーザの使用権利が開放されると共に、応用サーバと各ユーザ機器との間に設けられる変換インターフェースを介して最新の応用ソフトがユーザ機器にダウンロードされる。故に、応用サーバは応用ソフト或いはデータをユーザ機器がスムーズに読み取れる形式にパッケージすることにより、ユーザ機器での読み取りを可能としている。
【発明を実施するための最良の形態】
【００１０】
以下、添付図面を参照して本発明の好適な実施の形態を詳細に説明する。
【実施例】
【００１１】
図１は本発明に係る高拡張性分散型デジタルニューラルネットワークシステムを構築した状態を示す概要図であり、図２は本発明に係る高拡張性分散型デジタルニューラルネットワークシステムにおける応用サーバの内部構成を示すブロック図であり、図３は本発明に係る高拡張性分散型デジタルニューラルネットワークシステムの応用サーバとユーザ機器との関係を示すブロック図であり、図４は本発明に係る高拡張性分散型デジタルニューラルネットワークシステムにおける応用サーバと、ユーザ機器及び他のサーバとの接続関係を示すブロック図である。
【００１２】
図１及び図２に示すように、本発明の高拡張性分散型デジタルニューラルネットワークシステムは、少なくとも一つの応用サーバ（１０）及び複数のユーザ機器（２０）を有し、該応用サーバ（１０）はメインシステム（１１）、システムコントローラ（１６）、システム記録手段（１７）、ディレクトリ（１４）、身分（識別）認証手段（１５）及び第一変換インターフェース（１２）を含む。
前記メインシステム（１１）はスタンダードデータフォーマット及び語法を有するメインプログラムであり、尚、本実施例においてのスタンダードデータフォーマットは、現在、有線或いは無線インターネットで用いられているXMLを採用し、即ち、ディレクトリ（１４）に保存されるデータフォーマットはXMLに統一されている。
【００１３】
前記第一変換インターフェース（１２）はスタンダードデータフォーマットと異なる他のプロトコルのデータ（例えば、TCP、HTTPなど）を、互換性を有するフォーマットに変換して入力或いは出力を行うものであり、本実施例では、第一変換インターフェース（１２）はXMLとTCP及びHTTPなどとのインターネットプロトコル間の変換を行うものである。
【００１４】
前記各ユーザ機器（２０）はそれぞれ応用サーバ（１０）の第一変換インターフェース（１２）と接続され、その応用サーバ（１０）を介すことによりイントラネットを構築している。また、各ユーザ機器（２０）はネットワーク接続機能を有する装置であり、例えば、コンピュータ、PDA或いは演算機能を有しない端末などである。
【００１５】
図２に示すように、前記応用サーバ（１０）は更にダイナミックモジュール（１８）を含み、即ち、現在一般に使用されている機能サーバ（例えば、メールモジュール、I/Oモジュール及びデータモジュールなど）がモジュール形式により応用サーバ内に増設され、或いは図４に示すように、更に第二変換インターフェース（１３）が増設され、その第二変換インターフェース（１３）はSSL Server、Database Server、INN Serverなどの機能サーバ（２１）と接続され、該機能サーバ（２１）とのネットワークのプロトコルとメインシステム（１１）のプロトコルとの変換を行うことにより、応用サーバ（１０）と特定の機能サーバ（２１）とを接続するので、拡張性をより高めることができる。
【００１６】
更に、図１に示すように、前記イントラネットの各ユーザ機器（２０）は複数のソフトウエアプログラムがインストールされた応用サーバ（１０）と接続されるので、ユーザ機器（２０）へのダウンロードを提供できる。故に、イントラネットのメンテナンス作業においては、単に応用サーバ（１０）におけるメインシステムのスタンダードデータフォーマットのみを習得すればよく、同時に応用サーバ（１０）に対してソフトウェアのアップグレードさえ行えば、ユーザ機器（２０）へダウンロードを実行することが可能となることから、ユーザ機器（２０）で別個にアップグレードする必要はないので、イントラネット管理の利便性が向上する。また、本実施例では前記応用サーバ（１０）に更にシステムコントローラ（１６）及び身分認証手段（１５）などが組み込まれるので、各ユーザの身分に対して権限の認証を行う。即ち、ユーザのデータは応用サーバ（１０）において記録され、一旦、応用サーバ（１０）へ登録がなされると、直ちに該ユーザが使用する応用プログラムの、登録がなされた機器へのダウンロードが許可される。故に、図３に示すように、メンテナンスエンジニアは予め特定のユーザに機器を配置する必要はなく、ユーザは単にイントラネットに接続して必要なソフトウェアをユーザ機器（２０）にダウンロードするだけでよい。
【００１７】
以下、上記説明に続き実施の形態を更に詳細に説明する。
図４に示すように、前記応用サーバ（１０）は数種類のプロトコルを支援する機能を有し、前記ユーザ機器（２０）は一般のデスクトップコンピュータ或いは接続式の電子装置であると共に、それらに使用されるオペレーションシステムは現在一般に採用されているWINDOWS(R)TM、LINUX、UNIX(R)などであり、また、ブラウザ（Browser）はDHTML+JVM、WML+JVMであり、その中の各機器は特定のオペレーションシステム上においてBBS（電子掲示板システム）、SMS（ショートメッセージサービス）などのプログラムソフトを実行することができる。
【００１８】
また、前記ユーザ機器（２０）でブラウザを起動させる場合、使用する通信プロトコルはHTTPであるので、応用サーバ（１０）に入力されると、先ずXMLの第一変換インターフェース（１２）を介してXMLフォーマットに変換され、その後、メインシステム（１１）に入力される。更に、該応用サーバ（１０）はJVMの第二変換インターフェース（１３）を介して他の機能サーバ（２１）と接続されるので、該メインシステム（１１）はデータの内容によってJVMの第二変換インターフェース（１３）を介してデータをJVMのデータ形式に変換してから、特定のサーバに入力し、その後、外部のネットワークに転送される。
【００１９】
上述したように、本発明の高拡張性分散型デジタルニューラルネットワークシステムは、数種類の通信プロトコルを統合したプラットフォームを構築すると共に、適当に配置することにより、応用サーバを応用ソフトの提供者とするものである。これによって、ユーザは特定の機器からしか応用ソフトを実行できなかった問題を解決できる。故に、本発明によれば、世界各地において単にイントラネットに接続するだけで応用サーバに保存されているソフトウェアなどを機器にダウンロードできるので、利便性に優れている。また、ネットワーク管理の面から見ても、単に応用サーバに組み込まれる身分認証手段或いはシステムコントローラを介してイントラネットのユーザに権限を制御して、ネットワークのソースを有効的に管理することにより、特別なソフトウェア及びハードウェアを配置する必要はないので、コストダウンを図ることができる。
【図面の簡単な説明】
【００２０】
【図１】本発明に係る高拡張性分散型デジタルニューラルネットワークシステムを構築した状態を示す概要図である。
【図２】本発明に係る高拡張性分散型デジタルニューラルネットワークシステムにおける応用サーバの内部構成を示すブロック図である。
【図３】本発明に係る高拡張性分散型デジタルニューラルネットワークシステムの応用サーバとユーザ機器との関係を示すブロック図である。
【図４】本発明に係る高拡張性分散型デジタルニューラルネットワークシステムにおける応用サーバと、ユーザ機器及び他のサーバとの接続関係を示すブロック図である。
【図５】従来のイントラネットの構成を示す概要図である。
【図６】従来の他のイントラネットの構成を示す概要図である。
【符号の説明】
【００２１】
１０        応用サーバ
１１        メインシステム
１２        第一変換インターフェース
１３        第二変換インターフェース
１４        ディレクトリ
１５        身分認証手段
１６        システムコントローラ
１７        システム記録手段
１８        ダイナミックモジュール
２０        ユーザ機器
２１        機能サーバ
５０        ホストコンピュータ
５１        端末
６０        プログラムサーバ
６１        コンピュータ
【図１】
2005128644.tif 000003
【図２】
2005128644.tif 000004
【図３】
2005128644.tif 000005
【図４】
2005128644.tif 000006
【図５】
2005128644.tif 000007
【図６】
2005128644.tif 000008